(57)【要約】【課題】流し台や洗面化粧台のキャビネットの内部に設けられた点検口を塞ぐ蓋体を、給水／給湯管や排水管などが貫通するように敷設された場合であっても、その着脱操作性が妨げられないようにする。【解決手段】流し台や洗面化粧台のキャビネットの内部に設けられ、給水／給湯管や排水管などが貫通するように敷設される点検口の前側に、この点検口を塞ぐように取り付けられる蓋体１を、合成樹脂の一体成形品とし、その裏面１ａには、先端に外向き鉤状のフック部２ａ，２ａ（３ａ，３ａ）が形成された弾性係止片２，２（３，３）を上下と左右に対向するように少なくとも一対、設けた。【選択図】  図１
2004267485.tif 000002
【特許請求の範囲】
【請求項１】
給水／給湯、あるいは排水用の配管が貫通した点検口に取り付けられる蓋体であって、
この蓋体は、板状で裏面の上下方向または／及び左右方向に対向するように、少なくとも一対の弾性係止片が突設され、かつ、各弾性係止の先端には、それぞれ外向きに鉤状のフック部が設けられた形状に合成樹脂で一体成形されたものであり、点検口に正対した方向の移動により、上記フック部が点検口の裏面側端縁に係合し、取り付けられるようになされたことを特徴とする点検口の蓋体。
【発明の詳細な説明】
【０００１】
【発明の属する技術分野】
本発明は、流し台や洗面化粧台などのキャビネットに設けられた点検口を塞ぐために用いられる蓋体に関する。
【０００２】
【従来の技術】
一般に、この種の点検口の蓋体は、一枚の板状のもので構成されており、点検口への取り付けは、図５に示すように、蓋体１１をキャビネット９の背板１０に設けられた点検口１０ａを塞ぐように被せ、この状態で蓋体１１の周囲を点検口１０ａの周囲の背板１０にねじ１２で止めたり、あるいは、図６に示すような断面略Ｓ字形のクリップと称される取付具８を用いて、蓋体を点検口の前側に係止保持することによりなされていた。
【０００３】
この取付具８を用いた蓋体の取付手順は、およそ以下の通りである。
【０００４】
まず、取付具８の深い係止溝８ａを利用して、予めこの取付具８を点検口（図示せず）の上下の端縁に差し込んでおく、そして、蓋体（図示せず）の下端を下側の取付具８の浅い係止溝８ｂに上側から差し込んで、この状態で蓋体の上端を点検口側に押し付ける。次に上側の取付具８を押し下げれば、この取付具８の係止溝８ｂに蓋体の上端が係合し、このようにして上下の取付具８で蓋体が点検口の前側に保持されるものである。（例えば、特許文献１参照）
なお、図示していないが、前記のねじ止めによる取り付けの場合、対象物である背板１０の裏面側には、このねじ１２をねじ込み保持するために、予め、補強桟などが接着などの適宜手段で取り付けられていた。
【０００５】
【特許文献１】
特開平８−１３５１６６号公報（第２−４頁、第２図）
【０００６】
【発明が解決しようとする課題】
上述した従来の点検口の蓋体のうち、前者のねじ止めにより固定されるものは、点検口が設けられた対象物側に、予めねじをねじ込み保持するための補強桟を取り付けておかなくてはならず、余分な部材を要すると共に、その取り付けの手間も要し、このことが生産性の低下を招くと共にコストアップの要因になるという問題点があった。
【０００７】
また、一般にこのような点検口は、キャビネットの内奥部などの狭小な個所に設けられていることが多いため、ドライバーなどの工具を要するねじ止めでは、その作業が行い難く、また、蓋体の着脱を繰り返すと、ねじとねじ穴の螺合が緩くなり、蓋体が不用意に脱落するというおそれもあった。
【０００８】
さらにこのようにねじ止めされるものは、点検口側の対象物が金属板で形成されている場合、その固定が困難であるという問題点もあった。
【０００９】
また、後者の取付具を用いて取り付けられるものは、予め、取付具を点検口の上下の端縁に差し込んでおき、蓋体の下端を下側の取付具に差し込んで、蓋体の上端を点検口側に押し付けた状態で、上側の取付具を押し下げることにより、上下の取付具で蓋体が点検口の前側に保持されるようになっているので、狭小な個所でもあっても作業が容易であり、また、着脱を繰り返してもその係合が緩くなるおそれもなく、前者のような問題は生じない。しかしながら、取り付けに際して、このように蓋体を上下方向に移動させなくてはならないので、給水／給湯配管や排水管などを貫通させた状態では、その取り付けが行えず、使用できるケースが限定されるという問題点があった。
【００１０】
本発明は、上記のようにして取り付けられる従来の点検口の蓋体が有していた問題点の解決を課題とする。
【００１１】
【課題を解決するための手段】
上記の課題を解決するために、本発明では、給水／給湯、あるいは排水用の配管が貫通した点検口に取り付けられる蓋体を、板状で裏面の上下方向または／及び左右方向に、対向するように少なくとも一対の弾性係止片が突設され、かつ、各弾性係止の先端には、それぞれ外向きに鉤状のフック部が設けられた形状に、合成樹脂で一体成形し、点検口に正対した方向の移動でフック部が点検口の裏面側端縁に係合し、取り付けられるようにしたことを特徴とする。
【００１２】
【発明の実施の形態】
以下、本発明を図示した実施の形態に基づき詳細に説明する。
【００１３】
図１は、本発明に係る点検口の蓋体の実施形態を示した裏面側の斜視図である。図示したように、この蓋体１は、板状でその裏面１ａ所定位置に、先端が鉤形のフック状に形成された複数の弾性係止片２，３を突設したものであり、例えば、射出成形により、合成樹脂で一体成形されている。この弾性係止片２，３は、左右と上下に対向するように、対で設けられ、この対向した弾性係止片２，３の先端のフック部２ａ，２ａとフック部３ａ，３ａは、互いに背反するように外向きに設けられている。ここにおいて上下対になった弾性係止片２，２の外側面同士の間隔は、この弾性係止片２が設けられた蓋体１が取り付けられる対象物である図２に示したようなキャビネット４の背板５に形成された点検口５ａの上下方向の寸法に等しく設定され、左右対になった弾性係止片３，３の外側面同士の間隔は、同様に点検口５ａの左右方向の寸法に等しく設定されている。
【００１４】
従って、この蓋体１は、図３に示すように点検口５ａに正対させた状態で矢印に示す方向に移動させ、点検口５ａ側に押し付けると、対向した位置に設けられた弾性係止片２，２（または３，３）が、点検口５ａの内端縁に当接して互いに内方に撓み、やがて、先端のフック部２ａ（または３ａ）が点検口５ａの内端縁を通過すると、自身の弾性力で元の状態に復帰することにより、図４に示すようにフック部２ａ（または３ａ）が点検口５ａの裏面側の端縁に係合し、この点検口５ａを塞ぐように取り付けられる。
【００１５】
このように本発明の点検口の蓋体１は、点検口５ａに正対させた状態で、点検口５ａ側に押し付けるだけで、取り付けることができる。よって、図２に示すように、この蓋体１を貫通するように給水／給湯配管６や、排水管７を敷設しなくてはいけない場合であっても、設置施工現場において、蓋体１の配管位置に対応した個所に貫通孔１ｂ，１ｃを形成すれば、この貫通孔１ｂ，１ｃに配管６，７を通した状態で蓋体１の着脱が行える。よって、これらの配管６，７が点検口５ａの後側で建物躯体側の配管と接続される場合であっても、蓋体１に配管６，７を通した状態で、その接続作業や点検作業が行えるものである。
【００１６】
なお、蓋体１の点検口５ａからの取外しは、その端縁と点検口５ａが設けられた対象物との間にドライバーなどを差し込んで抉り、フック部２ａ，３ａの係合を外せば良い。
【００１７】
以上のようにして本発明の点検口の蓋体は、用いられるものである。
【００１８】
なお、図示した実施の形態では、蓋体１の裏面１ａに、上下対の弾性係止片２，２と、左右対の弾性係止片３，３を、それぞれ二組、突設したものを例示したが、この弾性係止片２，３は、点検口５ａの四方の端縁に係合し、蓋体１を脱落不可に係止できれば良く、そのため上下方向と左右方向に少なくとも一対、設けられていれば良い。
【００１９】
また、この弾性係止片２，３は、フック部の係止機能を利用するばかりではなく、その側面が点検口５ａの内端面に当接することにより、蓋体１の移動を規制するように機能させても良く、その場合は、点検口５ａの上下または左右いずれかの対向した端面に、弾性係止片２（または３）が係合すれば良い。よって、このようなケースでは、弾性係止片は、蓋体裏面の上下あるいは左右の何れかの方向に対向して設けられていれば良い。なお、この時、弾性係止片が一対の場合はその幅が、弾性係止片が複数設けられている場合は、同方向に設けられたものの最外側間の寸法が、点検口の高さあるいは幅よりも小さく設定されていることとする。
【００２０】
【発明の効果】
以上説明したように、本発明の点検口の蓋体は、先端に鉤状のフック部が設けられた複数の弾性係止片を裏面に一体的に突設し、この弾性係止片を点検口の後側の端縁に係合させることにより、点検口に取り付けることとしたので、その取り付けが位置合せをして押し付けるだけで行え、その組立作業性が従来のものに比し、極めて高くなる。
【００２１】
また、その着脱は、点検口と正対した方向の移動により行えるので、給水／給湯配管や、排水管が貫通して取り付けられていても容易に行える。
【００２２】
さらにこの蓋体は、射出成形により簡単に製造できるので、生産性が良く、かつ、コスト低廉に提供できるという効果がある。
【図面の簡単な説明】
【図１】本発明に係る点検口の蓋体の実施形態を示した裏面側の斜視図である。
【図２】蓋体の取付例を示す洗面台キャビネットの断面図である。
【図３】蓋体の取付前の状態を示した断面図である。
【図４】蓋体の取付状態を示した断面図である。
【図５】従来例による取付状態斜視図である。
【図６】他の従来例のものに使用される取付具の斜視図である。
【符号の説明】
１  蓋体
１ａ  裏面
２，３  弾性係止片
２ａ，３ａ  フック部
４  キャビネット
５  背板
５ａ  点検口
６  給水／給湯配管
７  排水管
【図１】
2004267485.tif 000003
【図２】
2004267485.tif 000004
【図３】
2004267485.tif 000005
【図４】
2004267485.tif 000006
【図５】
2004267485.tif 000007
【図６】
2004267485.tif 000008